(57)【要約】【課題】簡素な構造でノズルの位置及び方向を安定化させることができる吊下ノズル装置を提供する。【解決手段】ブームスプレーヤのブームに取り付けられるブラケットと、ブラケットから下方に延在するロッド１４と、ロッド１４に沿って下方に吊り下げられる吊下ホース１５と、吊下ホース１５の下端部分１５ａに接続されたノズル２２と、を備えた吊下ノズル装置１２において、ナット１８ｃが螺着される雄ネジ部１８ａと、当該雄ネジ部１８ａに連設され、雄ネジ部１８ａの軸線方向に沿うナット１８ｃの移動を規制する規制部１８ｂとを、吊下ホース１５の下端部分１５ａとノズル２２との間の継手部１６の外周面に設け、継手部１６の外周面に沿って曲がったロッド１４の下側曲部１４ｇをナット１８ｃと規制部１８ｂとで挟持させる簡素な構造でノズル２２の位置及び方向を安定化させる。【選択図】図７
2012213370.tif 000002
【特許請求の範囲】
【請求項１】
ブームスプレーヤ（１００）のブーム（２，３，４）に取り付けられ、下方に吊り下げられて液剤を散布する吊下ノズル装置（１２）であって、
前記ブーム（２，３，４）に取り付けられるブラケット（１３）と、
前記ブラケット（１３）から下方に延在するロッド（１４）と、
前記ブーム（２，３，４）に沿って設けられた配管（５，６，７）に接続され、前記ロッド（１４）に沿って下方に吊り下げられるホース（１５）と、
前記ホース（１５）の下端部分（１５ａ）に接続されたノズル（２２）と、を備え、
前記ホース（１５）の下端部分（１５ａ）と前記ノズル（２２）との間の継手部（１６）の外周面には、ナット（１８ｃ）が螺着される雄ネジ部（１８ａ）と、当該雄ネジ部（１８ａ）に連設され、当該雄ネジ部（１８ａ）の軸線方向に沿う前記ナット（１８ｃ）の移動を規制する規制部（１８ｂ）と、が設けられ、
前記ロッド（１４）の下端部分には、前記ナット（１８ｃ）と前記規制部（１８ｂ）との間で前記継手部（１６）の外周面に沿うように曲がった下側曲部（１４ｇ）が形成され、
前記下側曲部（１４ｇ）は、前記雄ネジ部（１８ａ）に螺着された前記ナット（１８ｃ）と前記規制部（１８ｂ）とによって挟持されることを特徴とする吊下ノズル装置（１２）。
【請求項２】
前記ブラケット（１３）は、上下方向に延在して前記ブーム（２，３，４）に対向する側板部（１３ａ）と、当該側板部（１３ａ）の上端及び下端に連設されて前記ブーム（２，３，４）を上下から挟持する上板部（１３ｂ）及び下板部（１３ｃ）と、を有し、
前記下板部（１３ｃ）には、前記ブーム（２，３，４）と前記側板部（１３ａ）との隙間に向かって前記ロッド（１４）の上端部分が通される下板貫通孔（１３ｇ）が形成され、
前記側板部（１３ａ）には、前記ブーム（２，３，４）側から前記ロッド（１４）の上端が挿入される側板貫通孔（１３ｈ）が形成され、
前記ロッド（１４）の上端部分には、前記下板貫通孔（１３ｇ）を通った前記ロッド（１４）の上端が更に前記側板貫通孔（１３ｈ）に入るように曲がった上側曲部（１４ｃ）が形成されていることを特徴とする請求項１記載の吊下ノズル装置（１２）。
【発明の詳細な説明】
【技術分野】
【０００１】
本発明は、圃場に液剤を散布するブームスプレーヤのブームに取り付けられ、下方に吊り下げられて液剤を散布する吊下ノズル装置に関する。
【背景技術】
【０００２】
従来、このような吊下ノズル装置として、水平方向に延びるブームに取り付けられるブラケットと、ブラケットから下方に延在する懸垂アーム（ロッド）と、ブームに沿って設けられた配管ホースに取り付けられ、懸垂アームに沿って下方に吊り下げられるホースと、ホースの下端部分に接続され、懸垂アームの下端部分に連結される懸垂ノズルと、を備えたものが知られている（例えば、特許文献１参照）。
【先行技術文献】
【特許文献】
【０００３】
【特許文献１】特開２００７−７５５２号公報
【発明の概要】
【発明が解決しようとする課題】
【０００４】
特許文献１に記載された吊下ノズル装置では、ブラケットから下方に延在する一本の懸垂アームのみによって、ホースのふらつきが抑制され、ノズルの位置及び方向が安定化する。
【０００５】
しかしながら、例えば、懸垂アームの上端部分とブラケットとの連結部、及び懸垂アームの下端部分と懸垂ノズルとの連結部の部品点数が多く、構造をより簡素化する余地がある。
【０００６】
そこで、本発明は、簡素な構造でノズルの位置及び方向を安定化させることができる吊下ノズル装置を提供することを目的とする。
【課題を解決するための手段】
【０００７】
本発明に係る吊下ノズル装置（１２）は、ブームスプレーヤ（１００）のブーム（２，３，４）に取り付けられ、下方に吊り下げられて液剤を散布する吊下ノズル装置（１２）であって、ブーム（２，３，４）に取り付けられるブラケット（１３）と、ブラケット（１３）から下方に延在するロッド（１４）と、ブーム（２，３，４）に沿って設けられた配管（５，６，７）に接続され、ロッド（１４）に沿って下方に吊り下げられるホース（１５）と、ホース（１５）の下端部分（１５ａ）に接続されたノズル（２２）と、を備え、ホース（１５）の下端部分（１５ａ）とノズル（２２）との間の継手部（１６）の外周面には、ナット（１８ｃ）が螺着される雄ネジ部（１８ａ）と、当該雄ネジ部（１８ａ）に連設され、当該雄ネジ部（１８ａ）の軸線方向に沿うナット（１８ｃ）の移動を規制する規制部（１８ｂ）と、が設けられ、ロッド（１４）の下端部分には、ナット（１８ｃ）と規制部（１８ｂ）との間で継手部（１６）の外周面に沿うように曲がった下側曲部（１４ｇ）が形成され、下側曲部（１４ｇ）は、雄ネジ部（１８ａ）に螺着されたナット（１８ｃ）と規制部（１８ｂ）とによって挟持されることを特徴とする。
【０００８】
このような吊下ノズル装置（１２）によれば、ブラケット（１３）から下方に延在する一本のロッド（１４）のみによってホース（１５）のふらつきが抑制される。また、ロッド（１４）の下側曲部（１４ｇ）を、継手部（１６）の雄ネジ部（１８ａ）に螺着されたナット（１８ｃ）と、雄ネジ部（１８ａ）に連設された規制部（１８ｂ）とに挟持させるのみで、ロッド（１４）の下端部分とノズル（２２）の接続された継手部（１６）とが連結される。従って、簡素な構造でノズル（２２）の位置及び方向を安定化させることができる。
【０００９】
ここで、ブラケット（１３）は、上下方向に延在してブーム（２，３，４）に対向する側板部（１３ａ）と、当該側板部（１３ａ）の上端及び下端に連設されてブーム（２，３，４）を上下から挟持する上板部（１３ｂ）及び下板部（１３ｃ）と、を有し、下板部（１３ｃ）には、ブーム（２，３，４）と側板部（１３ａ）との隙間に向かってロッド（１４）の上端部分が通される下板貫通孔（１３ｇ）が形成され、側板部（１３ａ）には、ブーム（２，３，４）側からロッド（１４）の上端が挿入される側板貫通孔（１３ｈ）が形成され、ロッド（１４）の上端部分には、下板貫通孔（１３ｇ）を通ったロッド（１４）の上端が更に側板貫通孔（１３ｈ）に入るように曲がった上側曲部（１４ｃ）が形成されていることが好ましい。
【００１０】
この場合、ブラケット（１３）は、上板部（１３ｂ）及び下板部（１３ｃ）とでブーム（２，３，４）を挟持する簡素な構造でブーム（２，３，４）に取り付けられる。ブラケット（１３）とロッド（１４）の上端部分とは、ロッド（１４）の上端を下板部（１３ｃ）の下板貫通孔（１３ｇ）に下側から通し、更にロッド（１４）の上端を側板部（１３ａ）の側板貫通孔（１３ｈ）にブーム（２，３，４）側から挿入するのみで連結される。ブラケット（１３）に連結されたロッド（１４）の上端部分は、ブラケット（１３）がブーム（２，３，４）に取り付けられた状態において、側板部（１３ａ）とブーム（２，３，４）との隙間に位置し、ブーム（２，３，４）によって側板部（１３ａ）に近接した状態に保たれる。このため、ロッド（１４）の上端が側板貫通孔（１３ｈ）から抜けることが防止され、ブラケット（１３）とロッド（１４）の上端部分とが簡素な構造でしっかりと連結される。従って、より簡素な構造で、ノズル（２２）の位置及び方向を安定化させることができる。
【発明の効果】
【００１１】
このように、本発明に係る吊下ノズル装置によれば、簡素な構造でノズルの位置及び方向を安定化させることができる。
【図面の簡単な説明】
【００１２】
【図１】本発明に係る吊下ノズル装置が適用されるブームスプレーヤの一実施形態を示す後方斜視図である。
【図２】図１のブームスプレーヤの背面図である。
【図３】ブームに取り付けられた吊下ノズル装置の斜視図である。
【図４】吊下ノズル装置の斜視図である。
【図５】吊下ノズル装置の上端部分の斜視図である。
【図６】吊下ノズル装置がブームに取り付けられた状態を示す断面図である。
【図７】吊下ノズル装置の下端部分の斜視図である。
【図８】吊下ノズル装置の下端部分の断面図である。
【発明を実施するための形態】
【００１３】
以下、本発明に係る吊下ノズル装置の好適な実施形態について添付図面を参照しながら説明する。本実施形態に係る吊下ノズル装置が適用されるブームスプレーヤは、トラクターの後部に搭載されるマウント式ブームスプレーヤであり、以下の説明における上下、前後、左右の各方向は、トラクターに搭載された状態での方向を表すものとする。
【００１４】
図１は、本発明に係る吊下ノズル装置が適用されるブームスプレーヤの一実施形態を示す後方斜視図、図２は、図１のブームスプレーヤの背面図、図３は、ブームに取り付けられた吊下ノズル装置の斜視図、図４は、吊下ノズル装置の斜視図、図５は、吊下ノズル装置の上端部分の斜視図、図６は、吊下ノズル装置がブームに取り付けられた状態を示す断面図、図７は、吊下ノズル装置の下端部分の斜視図、図８は、吊下ノズル装置の下端部分の断面図である。
【００１５】
図１及び図２に示すように、マウント式ブームスプレーヤ１００は、トラクターの後部に搭載される本体部１と、本体部１の後方に設けられ左右方向に延在する中間ブーム２と、中間ブーム２の左端に連設され左方向に延在する左ブーム３（図２参照）と、中間ブーム２の右端に連設され右方向に延在する右ブーム４（図２参照）とを備えている。左ブーム３及び右ブーム４は、それぞれ中間ブーム２の左右端に回動自在に連結され、未使用時には前方且つ上方に折りたたむことが可能となっている（図１参照）。
【００１６】
中間ブーム２の後側には、長手方向に沿って配管５が設けられ、左ブーム３の後側には、長手方向に沿って配管６が設けられ、右ブーム４の後側には、長手方向に沿って配管７が設けられている。各配管５，６，７には、所定間隔でノズル８が設けられ、各ノズル８には後述の吊下ノズル装置１２の吊下ホース１５を取り付けることができる。ノズル８の間隔は、例えば圃場の畝の間隔に合わせて設定されている。
【００１７】
本体部１は、液剤のタンク９と、タンク９内の液剤を送り出すポンプ１０と、タンク９及びポンプ１０を載置する架台１１とを有している。ポンプ１０は、タンク９の下方に配置され、例えばトラクターのＰＴＯ（Power Take Off）軸に連結されて駆動される。タンク９内の液剤は、ポンプ１０により、供給ホースを介して上記各配管５，６，７に送られ、各配管５，６，７のノズル８若しくはこのノズル８に取り付けられた吊下ノズル装置１２から圃場に散布される。なお、図１及び図２においては、図が煩雑となるのを避けるために、中間ブーム２に一つの吊下ノズル装置１２のみが取り付けられた状態を示している。
【００１８】
図３及び図４に示すように、吊下ノズル装置１２は、各ブーム２，３，４に取り付けられるブラケット１３と、ブラケット１３から下方に延在するロッド１４と、ロッド１４に沿って下方に吊り下げられる吊下ホース１５と、吊下ホース１５の下端部分１５ａに接続されたノズル２２とを備えている。吊下ホース１５の上部は下方を向くように曲げられ、その端部には、例えばねじ込み式の継手部１７が連設されている。この継手部１７は、上記ノズル８に接続される。
【００１９】
ロッド１４は、例えば鋼棒等、適度な弾性を有する素材から形成されている。吊下ホース１５は、樹脂製のバンド２１によってロッド１４に沿うように固定されている。なお、バンド２１は、ロッド１４の長手方向に沿って複数設けられていてもよい。
【００２０】
図５及び図６に示すように、ブラケット１３はコの字状に形成されており、上下方向に延在し各ブーム２，３，４に対向する側板部１３ａと、側板部１３ａの上端及び下端に連設されて各ブーム２，３，４を上下から挟持する上板部１３ｂ及び下板部１３ｃとを有している。このようなブラケット１３は、例えば鋼板等を曲げて形成されている。
【００２１】
上板部１３ｂ及び下板部１３ｃの開放側端部には、上板部１３ｂの上方からボルト１３ｅが挿通され、ボルト１３ｅの下端部分には下板部１３ｃの下方からナット１３ｆが螺着されている。このボルト１３ｅとナット１３ｆとを互いに締め込むことにより、上板部１３ｂと下板部１３ｃとで各ブーム２，３，４が締め付けられ、ブラケット１３が各ブーム２，３，４にしっかりと固定される。また、ボルト１３ｅとナット１３ｆとを互いに緩め、上板部１３ｂと下板部１３ｃとによる各ブーム２，３，４の締め付けを弱めることで、ブラケット１３を各ブーム２，３，４に沿ってスライドさせ、吊下ノズル装置１２の位置を調整することが可能となっている。
【００２２】
下板部１３ｃの側板部１３ａ側には、ロッド１４の上端１４ａが通される下板貫通孔１３ｇが形成されている。側板部１３ａの上部には、各ブーム２，３，４側からロッド１４の上端１４ａが挿入される側板貫通孔１３ｈが形成されている。ロッド１４の上端１４ａ近傍の上端部分１４ｂには、下板貫通孔１３ｇに通された上端１４ａを側板貫通孔１３ｈに向けるために略直角に曲がった上側曲部１４ｃが形成されている。ロッド１４の上端部分１４ｂは、ロッド１４の上端１４ａを下側から下板貫通孔１３ｇに通し、更にブーム２，３，４側から側板貫通孔１３ｈに挿入することでブラケット１３に連結されている。
【００２３】
図６に示すように、ロッド１４の上端部分１４ｂは、ブラケット１３が各ブーム２，３，４に取り付けられた状態において、側板部１３ａと各ブーム２，３，４との隙間Ｓ１に位置し、各ブーム２，３，４によって側板部１３ａに近接した状態に保たれる。このため、ロッド１４の上端１４ａが側板貫通孔１３ｈから抜けることが防止され、ブラケット１３とロッド１４の上端部分１４ｂとがしっかりと連結される。
【００２４】
図７及び図８に示すように、上記ノズル２２は、吊下ホース１５の下端部分１５ａに継手部１６を介して接続されている。継手部１６は、ノズル２２が下方から連結される継手本体部１８と、継手本体部１８の上端に連設された外面竹の子形状のホース接続部１９とを有している。
【００２５】
継手本体部１８の下側外周面には、雄ネジ部１８ｄが形成され、雄ネジ部１８ｄにノズル２２が螺着されている。継手本体部１８の上側外周面には雄ネジ部１８ａが形成され、雄ネジ部１８ａと雄ネジ部１８ｄとの間には、雄ネジ部１８ａの外径よりも大きい外径の円環状の規制部１８ｂが形成されている。雄ネジ部１８ａには、上方からナット１８ｃが螺着され、ナット１８ｃの下方への移動が規制部１８ｂによって規制されている。
【００２６】
吊下ホース１５の下端部分１５ａは、継手部１６のホース接続部１９に接続され、外側からカシメ部材２０でかしめられている。カシメ部材２０でかしめられた吊下ホース１５の下端部分１５ａの外径は、雄ネジ部１８ａの外径よりも大きくなっている。このため、カシメ部材２０でかしめられた吊下ホース１５の下端部分１５ａにより、ナット１８ｃが雄ネジ部１８ａから離脱しないようになっている。
【００２７】
ロッド１４の下端部分１４ｄには、略直角に曲がった第１の下側曲部１４ｆが形成され、下側曲部１４ｆより先の部分が吊下ホース１５の継手部１６側に延びている。第１の下側曲部１４ｆから継手部１６側に延びた部分には、ナット１８ｃと規制部１８ｂとの間で継手本体部１８の外周面に沿うようにＵ字状に曲がった第２の下側曲部１４ｇが形成されている。ナット１８ｃは、規制部１８ｂに向って締め込まれ、ナット１８ｃと規制部１８ｂとで第２の下側曲部１４ｇが挟持されている。このようにして、ノズル２２の接続された継手部１６とロッド１４の下端部分１４ｄとが連結され、ロッド１４によってノズル２２が下向きに保持されている。
【００２８】
以上の吊下ノズル装置１２によれば、ブラケット１３から下方に延在する一本のロッド１４のみによって吊下ホース１５のふらつきが抑制されると共に、上述のようにロッド１４の下端部分１４ｄが簡素な構造でノズル２２の接続された継手部１６に連結される。従って、簡素な構造でノズル２２の位置及び方向を安定化させることができる。
【００２９】
更に、上述のように、ブラケット１３が簡素な構造で各ブーム２，３，４に取り付けられ、ロッド１４の上端部分１４ｂが簡素な構造でブラケット１３にしっかりと連結される。従って、より簡素な構造で、ノズル２２の位置及び方向を安定化させることができる。
【００３０】
また、上述のように、ロッド１４が適度な弾性を有する素材から形成されているため、吊下ノズル装置１２は、ノズル２２や吊下ホース１５が圃場の作物等に当たった際にしなり、圃場の状態に柔軟に適応することができる。
【００３１】
なお、吊下ノズル装置１２では、ロッド１４によってノズル２２の向きを下向きに保持しているが、これに限られない。例えば、第１の下側曲部１４ｆの曲がり角を変更することで、斜め下方や側方等、任意の方向にノズル２２の向きを調整することができる。
【符号の説明】
【００３２】
２，３，４…ブーム、５，６，７…配管、１２…吊下ノズル装置、１３…ブラケット、１３ａ…側板部、１３ｂ…上板部、１３ｃ…下板部、１３ｇ…下板貫通孔、１３ｈ…側板貫通孔、１４…ロッド、１４ａ…上端、１４ｂ…上端部分、１４ｃ…上側曲部、１４ｄ…下端部分、１４ｇ…第２の下側曲部、１５…吊下ホース、１５ａ…下端部分、１８ａ…雄ネジ部、１８ｂ…規制部、１８ｃ…ナット、２２…ノズル、１００…マウント式ブームスプレーヤ、Ｓ１…隙間。
【図１】
2012213370.tif 000003
【図２】
2012213370.tif 000004
【図３】
2012213370.tif 000005
【図４】
2012213370.tif 000006
【図５】
2012213370.tif 000007
【図６】
2012213370.tif 000008
【図７】
2012213370.tif 000009
【図８】
2012213370.tif 000010